(57)【要約】【課題】  本発明は、使用時に比較的長尺をなす旗竿等を容易にコンパクト化でき、不使用時における旗竿等の運搬・保管を簡便にできる連結具を提供する。【解決手段】  本発明の筒状部材連結具１０は、一の筒状部材５と他の筒状部材６との連接部７に挿入される連結具であって、一の棒部１２と、他の棒部１４と、一端部１６ａに、一の棒部１２の他端１２ｂ側が一の棒部１２の長手方向と直交する軸のまわりに回動自在に連結される一の連結部２５ａを備え、他端部１６ｂに、他の棒部１４の他端１４ｂ側が他の棒部１４の長手方向と直交する軸のまわりに回動自在に連結される他の連結部２５ｂを備える棒部支持部１６とを含んで構成され、一の棒部１２に、一の筒状部材５の端部５ａ内壁に設けた突起８の摺動を案内する案内溝１８が形成され、他の棒部１４に、他の筒状部材６の端部６ａ内壁に設けた突起９の摺動を案内する案内溝２０が形成されたことを特徴とする。【選択図】  図１
2009270630.tif 000002
【特許請求の範囲】
【請求項１】
一の筒状部材と他の筒状部材との連接部に挿入される連結具であって、
一端側から前記一の筒状部材の端部に摺動自在に挿入可能な一の棒部と、
一端側から前記他の筒状部材の端部に摺動自在に挿入可能な他の棒部と、
一端部に、前記一の棒部の他端側が該一の棒部の長手方向と直交する軸のまわりに回動自在に連結される一の連結部を備え、他端部に、前記他の棒部の他端側が該他の棒部の長手方向と直交する軸のまわりに回動自在に連結される他の連結部を備える棒部支持部と、
を含んで構成され、
前記一の棒部に、該一の棒部の長手方向に沿って、前記一の筒状部材の端部内壁に設けた突起を収容して該突起の摺動を案内する案内溝が形成され、
前記他の棒部に、該他の棒部の長手方向に沿って、前記他の筒状部材の端部内壁に設けた突起を収容して該突起の摺動を案内する案内溝が形成された筒状部材連結具。
【請求項２】
一の筒状部材と他の筒状部材との連接部に挿入される連結具であって、
一端側から前記一の筒状部材の端部に摺動自在に挿入可能な一の棒部と、
一端側が前記他の筒状部材の端部に挿入されて固定された他の棒部と、
一端部に、前記一の棒部の他端側が該一の棒部の長手方向と直交する軸のまわりに回動自在に連結される一の連結部を備え、他端部に、前記他の棒部の他端側が該他の棒部の長手方向と直交する軸のまわりに回動自在に連結される他の連結部を備える棒部支持部と、
を含んで構成され、
前記一の棒部に、該一の棒部の長手方向に沿って、前記一の筒状部材の端部内壁に設けた突起を収容して該突起の摺動を案内する案内溝が形成された筒状部材連結具。
【請求項３】
前記一の棒部の他端側に一の舌片を備え、前記一の連結部が一の連結片で構成され、該一の舌片と該一の連結片とが面対して軸着し、
前記他の棒部の他端側に他の舌片を備え、前記他の連結部が他の連結片で構成され、該他の舌片と該他の連結片とが面対して軸着した請求項１又は請求項２に記載の筒状部材連結具。
【請求項４】
前記一の連結部及び前記他の連結部が可撓性部材で構成される請求項１又は請求項２に記載の筒状部材連結具。
【請求項５】
前記一の棒部、前記他の棒部、及び前記棒部支持部が一体をなし、
前記一の連結部及び前記他の連結部が、前記棒部支持部の長手方向に沿って形成されたくびれ部で構成される請求項３に記載の筒状部材連結具。
【請求項６】
前記案内溝の前記棒部支持部側の端部が、該案内溝の長手方向に対して直角方向に折曲した請求項１から請求項５の何れかに記載の筒状部材連結具。
【請求項７】
前記棒部支持部の中央部に、金属製補強部材が外嵌される請求項１から請求項６の何れかに記載の筒状部材連結具。
【発明の詳細な説明】
【技術分野】
【０００１】
本発明は、複数の筒状部材を連結するのに好適な筒状部材連結具に関する。
【背景技術】
【０００２】
使用時に比較的長尺をなす旗竿や園芸用の支柱、立て看板の脚部材等は、そのままの状態では運搬・保管時に極めて不便であり、且つ不経済である。そこで従来から、一の長尺部材を複数の短尺部材で構成し、使用時にのみ接続して一の長尺部材とする態様、或いは二の短尺部材を連結部材で連結し、連結部材を介して折り畳み可能とする態様が採用され、これらの態様により長尺部材のコンパクト化が図られている（例えば、特許文献１及び特許文献２参照。）。
【０００３】
具体的には、特許文献１に開示された立て看板における脚部材のように、当該脚部材を分割可能に構成し、使用時にのみ接続して長尺化する態様とすれば、立て看板を運搬・保管する際には長尺の脚部材を分割して短尺化でき、立て看板のコンパクト化が図られる。また、特許文献２に開示された立看板装置では、長尺の縦ポールがヒンジを介して二つ折りに折り畳み可能に構成されており、縦ポールを二つ折りにすることによって、運搬・保管する際における立て看板装置のコンパクト化を図っている。
【０００４】
【特許文献１】実開平５−９０５４７号公報
【特許文献２】特開平１０−６９２４５号公報
【発明の開示】
【発明が解決しようとする課題】
【０００５】
しかし、特許文献１の立て看板では、運搬・保管時に分割された脚部材の一部を紛失する恐れがある。また、特許文献２の立看板装置では、使用時、即ち二つ折りにされた縦ポールを直線状に配列して使用する際、ヒンジでの折り畳みを規制する別体の規制手段が必須となる。従って、運搬・保管時には当該規制手段を紛失する恐れがあり、使用時には別体の規制手段を使用しなければならず手間がかかる。
【０００６】
そこで本願発明者は、上記の問題点に鑑み、使用時に比較的長尺をなす旗竿や園芸用の支柱、立て看板の脚部材等を容易にコンパクト化でき、不使用時における旗竿等の運搬・保管を簡便にできる連結具を提供するべく鋭意検討を重ねた結果、本発明に至ったのである。
【課題を解決するための手段】
【０００７】
即ち、本発明の筒状部材連結具は、一の筒状部材と他の筒状部材との連接部に挿入される連結具であって、一端側から前記一の筒状部材の端部に摺動自在に挿入可能な一の棒部と、一端側から前記他の筒状部材の端部に摺動自在に挿入可能な他の棒部と、一端部に、前記一の棒部の他端側が該一の棒部の長手方向と直交する軸のまわりに回動自在に連結される一の連結部を備え、他端部に、前記他の棒部の他端側が該他の棒部の長手方向と直交する軸のまわりに回動自在に連結される他の連結部を備える棒部支持部と、を含んで構成され、前記一の棒部に、該一の棒部の長手方向に沿って、前記一の筒状部材の端部内壁に設けた突起を収容して該突起の摺動を案内する案内溝が形成され、前記他の棒部に、該他の棒部の長手方向に沿って、前記他の筒状部材の端部内壁に設けた突起を収容して該突起の摺動を案内する案内溝が形成されたことを特徴とする。
【０００８】
或いは、本発明の筒状部材連結具は、一の筒状部材と他の筒状部材との連接部に挿入される連結具であって、一端側から前記一の筒状部材の端部に摺動自在に挿入可能な一の棒部と、一端側が前記他の筒状部材の端部に挿入されて固定された他の棒部と、一端部に、前記一の棒部の他端側が該一の棒部の長手方向と直交する軸のまわりに回動自在に連結される一の連結部を備え、他端部に、前記他の棒部の他端側が該他の棒部の長手方向と直交する軸のまわりに回動自在に連結される他の連結部を備える棒部支持部と、を含んで構成され、前記一の棒部に、該一の棒部の長手方向に沿って、前記一の筒状部材の端部内壁に設けた突起を収容して該突起の摺動を案内する案内溝が形成されたことを特徴とする。
【０００９】
また、かかる筒状部材連結具において、前記一の棒部の他端側に一の舌片を備え、前記一の連結部が一の連結片で構成され、該一の舌片と該一の連結片とが面対して軸着し、前記他の棒部の他端側に他の舌片を備え、前記他の連結部が他の連結片で構成され、該他の舌片と該他の連結片とが面対して軸着し得る。
【００１０】
また、かかる筒状部材連結具において、前記一の連結部及び前記他の連結部が可撓性部材で構成され得る。
【００１１】
更に、かかる筒状部材連結具において、前記一の棒部、前記他の棒部、及び前記棒部支持部が一体をなし、前記一の連結部及び前記他の連結部が、前記棒部支持部の長手方向に沿って形成されたくびれ部で構成され得る。
【００１２】
また、かかる筒状部材連結具において、前記案内溝の前記棒部支持部側の端部が、該案内溝の長手方向に対して直角方向に折曲し得る。
【００１３】
更にまた、かかる筒状部材連結具において、前記棒部支持部の中央部に、金属製補強部材が外嵌され得る。
【発明の効果】
【００１４】
本発明の筒状部材連結具によると、使用時に比較的長尺をなす旗竿や園芸用の支柱、立て看板の脚部材等を容易にコンパクト化でき、不使用時における旗竿等の運搬・保管を簡便にできる。
【発明を実施するための最良の形態】
【００１５】
以下、本発明の筒状部材連結具の実施形態について、図１（ａ）に示した幟旗１における旗竿２を例に挙げて図面に基づき説明する。なお、図１（ｂ）は、図１（ａ）中の矢印Ａ部分の拡大説明図である。
【００１６】
図１（ｂ）及び図２に示したように、本実施の形態に係る筒状部材連結具１０は、旗竿２を構成する一の筒状部材５と他の筒状部材６との連接部７に挿入される連結具であって、一の棒部１２と、他の棒部１４と、棒部支持部１６とから構成される。
【００１７】
本実施形態における一の棒部１２は、一端１２ａ側から一の筒状部材５の端部５ａに摺動自在に挿入可能であり、他端１２ｂ側には一の舌片２２を備える。他の棒部１４は、一端１４ａ側から他の筒状部材６の端部６ａに摺動自在に挿入可能であり、他端１４ｂ側には他の舌片２４を備える。
【００１８】
棒部支持部１６は、一端部１６ａに、一の棒部１２の他端１２ｂ側が一の棒部１２の長手方向と直交する軸のまわりに回動自在に連結される一の連結部２５ａを備え、他端部１６ｂに、他の棒部１４の他端１４ｂ側が他の棒部１４の長手方向と直交する軸のまわりに回動自在に連結される他の連結部２５ｂを備える。本実施形態では、棒部支持部１６の一の連結部２５ａは一の連結片２６で構成され、他の連結部２５ｂは他の連結片２８で構成されている。つまり、一の連結片２６に、一の舌片２２が一の棒部１２の長手方向と直交する軸のまわりに回動自在に連結され、他の連結片２８に、他の舌片２４が他の棒部１４の長手方向と直交する軸のまわりに回動自在に連結される。換言すれば、一の舌片２２と一の連結片２６とが面対して軸着し、他の舌片２４と他の連結片２８とが面対して軸着している。なお、本実施形態における棒部支持部１６の中央部１６ｃには鍔部３０を備える。
【００１９】
本実施形態では、一の舌片２２と一の連結片２６とが連結ピン３２によって回動自在に連結され、他の舌片２４と他の連結片２８とが連結ピン３４によって回動自在に連結されている。つまり、連結ピン３２が一の棒部１２の長手方向と直交する軸となり、連結ピン３４が他の棒部１４の長手方向と直交する軸となる。
【００２０】
また、一の棒部１２には、一の棒部１２の長手方向に沿って、一の筒状部材５の端部５ａ内壁に設けた突起８を収容して突起８の摺動を案内する案内溝１８が形成され、他の棒部１４には、他の棒部１４の長手方向に沿って、他の筒状部材６の端部６ａ内壁に設けた突起９を収容して突起９の摺動を案内する案内溝２０が形成されている。
【００２１】
以上の構成から成る本実施形態の筒状部材連結具１０を、一の筒状部材５と他の筒状部材６との連接部７に備える旗竿２は、幟旗１を運搬・保管する際、連接部７において容易に折り畳むことができる。具体的には、図１（ｂ）に示した旗竿２の使用時の状態から、一の筒状部材５の端部５ａと他の筒状部材６の端部６ａとを離す方向、つまり同図では上下方向に一の筒状部材５と他の筒状部材６とを引っ張る。すると、一の筒状部材５は、一の棒部１２の長手方向に沿って、一の筒状部材５の端部５ａ内壁に設けた突起８が案内溝１８で案内されながら摺動する。他の筒状部材６も、他の棒部１４の長手方向に沿って、他の筒状部材６の端部６ａ内壁に設けた突起９が案内溝２０で案内されながら摺動する。そして、一の筒状部材５の摺動が案内溝１８の端部１８ａに突起８が当接することによって規制され、他の筒状部材６の摺動が案内溝２０の端部２０ａに突起９が当接することによって規制されて、図３（ａ）に示したように、連接部７から筒状部材連結具１０における棒部支持部１６、一の棒部１２が備える一の舌片２２及び他の棒部１４が備える他の舌片２４が露出した状態となる。この状態で、一の筒状部材５が棒部支持部１６の長手方向と略直角をなすまで、連結ピン３２を軸として一の棒部１２を含む一の筒状部材５を回動し、他の筒状部材６が棒部支持部１６の長手方向と略直角をなすまで、連結ピン３４を軸として他の棒部１４を含む他の筒状部材６を回動すると、図３（ｂ）に示したように、一の筒状部材５と他の筒状部材６とが略並行をなす状態にすることができる。つまり、長尺の旗竿２を容易に二つ折りに折り畳むことができ、運搬・保管時における旗竿２のコンパクト化が図られる。
【００２２】
なお、図３（ｂ）の状態で折り畳まれていた旗竿２は、上記の手順と逆の手順で容易に長尺化できる。つまり、一の筒状部材５と他の筒状部材６とを各々回動して直線状に配列した後（図３（ａ））、一の筒状部材５の端部５ａと他の筒状部材６の端部６ａとを近接させる方向に一の筒状部材５及び他の筒状部材６を摺動させる。すると、各々の端部５ａ、６ａが当接すると共に、案内溝１８の棒部支持部１６側の端部１８ｂに突起８が当接し、案内溝２０の棒部支持部１６側の端部２０ｂに突起９が当接して、一の筒状部材５と他の筒状部材６とが直線状に配列された長尺の旗竿２が得られる。この時、長尺化された旗竿２の連接部７には、棒部支持部１６が備える鍔部３０が位置することとなり、この鍔部３０によって、一の筒状部材５（一の棒部１２）及び他の筒状部材６（他の棒部１４）の回動が規制され、使用時における旗竿２の折り畳みを規制することができる。
【００２３】
以上のように、長尺の旗竿２を一の筒状部材５と他の筒状部材６とで構成し、これら筒状部材５、６の連接部７に本実施形態の筒状部材連結具１０を適用することによって、長尺の旗竿２を二つ折りに折り畳むことが可能となり、運搬・保管時における旗竿２のコンパクト化が図られる。特に、本実施形態における旗竿２は、一の筒状部材５と他の筒状部材６とが筒状部材連結具１０で連結されているため、運搬・保管時に一の筒状部材５と他の筒状部材６とがバラバラになって、一方を紛失する恐れがない。
【００２４】
また、筒状部材連結具１０自体も、一の筒状部材５及び他の筒状部材６と連結されているため紛失する恐れがない。更に、旗竿２を長尺化した際には、他の規制手段を用いることなく折り畳みを規制することができ、別体の規制手段を用意する必要もなく、規制手段を紛失する恐れもない。
【００２５】
また更に、長尺化された旗竿２の外周表面には筒状部材連結具１０の構成部材が何ら突出しないため、幟３が備える複数の乳４に筒状部材連結具１０が引っ掛かることもなく、旗竿２への幟３の挿脱を容易に行うことができる。
【００２６】
以上に例示した本発明の実施形態に係る筒状部材連結具１０は、本発明の技術的思想を実質的に限定するものと解してはならない。例えば、図２（ｂ）に示したように、筒状部材連結具１０における一の棒部１２及び他の棒部１４と棒部支持部１６とは、一の棒部１２の相対する２枚の一の舌片２２間、及び他の棒部１４の相対する２枚の他の舌片２４間に、棒部支持部１６の一の連結片２６及び他の連結片２８をそれぞれ挟んだ状態で面対させて回動自在に軸着している。しかし、当該態様とは逆の態様、即ち１枚の舌片２２、２４を、相対する２枚の一の連結片２６及び他の連結片２８で挟んだ状態で回動自在に連結する態様であってもよく、或いは、１枚の舌片２２（２４）と１枚の一の連結片２６（他の連結片２８）とを連結する態様であってもよい。
【００２７】
また、図２（ｂ）では、一の棒部１２の他端１２ｂ及び他の棒部１４の他端１４ｂは丸みを帯びた形状をなしているが、必ずしも当該形状に限定されるものではなく、一の棒部１２及び他の棒部１４と棒部支持部１６とが干渉することなく回動可能であればよい。
【００２８】
更に、上記実施形態の筒状部材連結具１０では、一の棒部１２の他端１２ｂ側に一の舌片２２を備え、他の棒部１４の他端１４ｂ側に他の舌片２４を備え、棒部支持部１６が備える一の連結部２５ａ及び他の連結部２５ｂがそれぞれ一の連結片２６及び他の連結片２８で構成され、一の連結片２６と一の舌片２２とが面対して軸着し、他の連結片２８と他の舌片２４とが面対して軸着しているが、一の棒部１２及び他の棒部１４と棒部支持部１６の連結態様は当該実施形態に限定されない。例えば、図４に示した筒状部材連結具１０ａのように、一の連結部２５ａ及び他の連結部２５ｂが可撓性部材で構成されてもよい。可撓性部材としては、図示した弦巻バネ４０や合成ゴム等が挙げられるが、図２（ｃ）に示したように、一の連結部２５ａ及び他の連結部２５ｂにおいて、一の棒部１２及び他の棒部１４をそれぞれの長手方向と直交する軸の回りに回動自在に連結することができれば、可撓性部材自体は特に限定されない。
【００２９】
また、図５（ａ）（ｂ）に示した筒状部材連結具１０ｂのように、一の棒部１２、他の棒部１４、及び棒部支持部１６を可撓性部材で一体に形成すると共に、一の連結部２５ａ及び他の連結部２５ｂを、棒部支持部１６の長手方向に沿って形成したくびれ部５０で構成してもよい。一の連結部２５ａ及び他の連結部２５ｂをくびれ部５０で構成することによって、一の棒部１２及び他の棒部１４をスムーズに回動することができる。なお、このくびれ部５０の形状（鼓形状）は、上記筒状部材連結具１０ａにおける可撓性部材の形状に適用することもできる。
【００３０】
更に、筒状部材連結具１０ｂのように、棒部支持部１６の中央部１６ｃが可撓性部材から成る場合には、この中央部１６ｃに金属製補強部材（不図示）が外嵌されることが好ましい。棒部支持部１６の中央部１６ｃは、長尺化された旗竿２の連接部７において、一の筒状部材５（一の棒部１２）及び他の筒状部材６（他の棒部１４）の回動を規制する部分であり、金属製補強部材を外嵌することによって、より強固に回動を規制することができる。なお、金属製補強部材による棒部支持部１６の中央部１６ｃの補強は、筒状部材連結具１０、１０ａにおいて、棒部支持部１６が合成樹脂製等の場合にも有効である。
【００３１】
本発明の更に他の実施形態を図６に示す。同図に示した筒状部材連結具１０ｃは、筒状部材連結具１０と同様、一の棒部１３と、他の棒部１４と、棒部支持部１６とから構成され、棒部支持部１６の一端部１６ａには、一の棒部１３の他端１３ｂ側に備える一の舌片２２が一の棒部１３の長手方向と直交する軸の回りに回動自在に連結される一の連結片２６（＝一の連結部２５ａ）を備え、棒部支持部１６の他端部１６ｂには、他の棒部１４の他端１４ｂ側に備える他の舌片２４が他の棒部１４の長手方向と直交する軸の回りに回動自在に連結される他の連結片２８（＝他の連結部２５ｂ）を備えている。
【００３２】
そして、本実施形態の筒状部材連結具１０ｃにおける一の棒部１３は、一端１３ａ側から一の筒状部材５の端部５ａに摺動自在に挿入可能であり、他の棒部１４の一端１４ａ側が他の筒状部材６の端部６ａに挿入されて固定されている。更に、一の棒部１３には、一の棒部１３の長手方向に沿って、一の筒状部材５の端部５ａ内壁に設けた突起８を収容して突起８の摺動を案内する案内溝１８が形成されている。
【００３３】
以上の構成から成る本実施形態の筒状部材連結具１０ｃを、一の筒状部材５と他の筒状部材６との連接部７に備える旗竿２は、幟旗１を運搬・保管する際、連接部７において容易に折り畳むことができる。具体的には、図６（ａ）に示した旗竿２の使用時の状態から、一の筒状部材５の端部５ａを他の筒状部材６の端部６ａから離す方向、つまり同図では上方向に一の筒状部材５を引っ張る。すると、一の筒状部材５は、一の棒部１３の長手方向に沿って、一の筒状部材５の端部５ａ内壁に設けた突起８が案内溝１８で案内されながら摺動する。そして、一の筒状部材５の摺動が案内溝１８の端部１８ａに突起８が当接することによって規制されて、図６（ｂ）に示したように、連接部７から筒状部材連結具１０ｃにおける棒部支持部１６、一の棒部１３が備える一の舌片２２及び他の棒部１４が備える他の舌片２４が露出した状態となる。この状態で、一の筒状部材５が棒部支持部１６の長手方向と略直角をなすまで、連結ピン３２を軸として一の棒部１３を含む一の筒状部材５を回動し、他の筒状部材６が棒部支持部１６の長手方向と略直角をなすまで、連結ピン３４を軸として他の棒部１４を含む他の筒状部材６を回動すると、一の筒状部材５と他の筒状部材６とが略並行をなす状態にすることができる。つまり、長尺の旗竿２を容易に二つ折りに折り畳むことができ、運搬・保管時における旗竿２のコンパクト化が図られる。
【００３４】
なお、一の筒状部材５と他の筒状部材６とを直線状に配列して長尺の旗竿２とした場合、筒状部材連結具１０、１０ａ、１０ｂでは、長尺化された旗竿２の連接部７に棒部支持部１６の中央部１６ｃ（鍔部３０）が位置して、一の筒状部材５（一の棒部１２）及び他の筒状部材６（他の棒部１４）の回動を規制することによって、使用時における旗竿２の折り畳みを規制することができるが、本実施形態の筒状部材連結具１０ｃでは、連接部７に他の棒部１４が位置し、この他の棒部１４によって回動を規制することができる。
【００３５】
以上のように、本実施形態の筒状部材連結具１０ｃによっても、運搬・保管時における旗竿２のコンパクト化が図られる等、筒状部材連結具１０等と同様の効果が得られる。
【００３６】
なお、本実施形態の筒状部材連結具１０ｃも上記の態様に限定されず、例えば一の連結部２５ａ及び他の連結部２５ｂには、筒状部材連結具１０ａと同様、可撓性部材を適用することもできる。また、筒状部材連結具１０ｂと同様、一の棒部１３、他の棒部１４、及び棒部支持部１６を可撓性部材で一体に形成すると共に、一の連結部２５ａ及び他の連結部２５ｂを、棒部支持部１６の長手方向に沿って形成したくびれ部５０で構成することもできる。
【００３７】
更に、筒状部材連結具１０ｃにおいて、一の筒状部材５と他の筒状部材６との連接部７が位置することとなる他の棒部１４には、回動の規制をより強固にするために、金属製補強部材が外嵌されてもよい。
【００３８】
以上、本発明の実施形態について詳述したが、本発明は上記実施形態に限定されない。例えば、各実施形態における案内溝１８及び案内溝２０に関し、案内溝１８、２０の棒部支持部１６側の端部１８ｂ、２０ｂは、それぞれ案内溝１８、２０の長手方向に対して直角方向に折曲することが好ましい。例えば図７に示したように、案内溝１８の棒部支持部１６側の端部１８ｂを案内溝１８の長手方向（＝一の棒部１２の長手方向）に対して直角方向に折曲し、案内溝２０の棒部支持部１６側の端部２０ｂを案内溝２０の長手方向（＝他の棒部１４の長手方向）に対して直角方向に折曲する。案内溝１８、２０を当該構成とすることにより、一の筒状部材５及び他の筒状部材６の摺動を容易に規制でき、使用時における一の筒状部材５と他の筒状部材６との離反を防止できる。
【００３９】
また更に他の実施形態として、図８に示した筒状部材連結具１０ｄのように、一の棒部１３、他の棒部１４、及び棒部支持部１６を可撓性部材で一体に形成すると共に、一の連結部２５ａ及び他の連結部２５ｂを含む棒部支持部１６を、棒部支持部１６の長手方向に沿って形成したくびれ部５０で構成してもよい。棒部支持部１６をくびれ部５０で構成することによって、一の棒部１３及び他の棒部１４をスムーズに回動することができる。
【００４０】
その他、例えば図２（ｂ）に示したように、筒状部材連結具１０において、一の棒部１２及び他の棒部１４には、案内溝１８及び案内溝２０がそれぞれ２本ずつ形成されているが、これら２本の案内溝１８（２０）同士が一の棒部１２（他の棒部１４）を貫通した態様であってもよく、案内溝が１本のみであってもよい。
【００４１】
また、上記では幟旗１における旗竿２に筒状部材連結具１０、１０ａ等を適用した態様について詳述したが、本発明の筒状部材連結具は旗竿の他、園芸用の支柱や立て看板の脚部材等、あらゆる長尺の筒状部材に適用可能である。本発明の筒状部材連結具を適用可能な筒状部材の断面形状も丸形に限定されず、角形、楕円形、多角形等、何れであってもよい。これら種々の断面形状をなす筒状部材には、一の棒部１２、１３及び他の棒部１４の断面形状を筒状部材の断面形状に合わせることによって、本発明の筒状部材連結具が適用できる。
【００４２】
更に、旗竿２には一の筒状部材連結具１０を適用して二つ折り可能に構成したが、長尺筒状部材を三以上の筒状部材で構成し、本発明の筒状部材連結具を二以上適用することによって三つ折り以上可能な長尺部材を構成することも可能であり、本発明は、その要旨を逸脱しない範囲で、当業者の創意と工夫により、適宜に改良、変更又は追加をしながら実施できる。
【図面の簡単な説明】
【００４３】
【図１】（ａ）は本発明の筒状部材連結具を適用した幟旗の正面図、（ｂ）は（ａ）中の矢印Ａ部分の拡大説明図である。
【図２】（ａ）は本発明の筒状部材連結具の一実施形態の平面図、（ｂ）は側面図、（ｃ）は一の棒部及び他の棒部を回動した状態を示す平面図である。
【図３】（ａ）及び（ｂ）は図１に示した旗竿を折り畳む手順を示した説明図である。
【図４】本発明の筒状部材連結具の他の実施形態の平面図である。
【図５】（ａ）は本発明の筒状部材連結具の他の実施形態の平面図、（ｂ）は側面図である。
【図６】（ａ）は本発明の他の実施形態の筒状部材連結具を適用した旗竿の拡大説明図、（ｂ）は（ａ）に示した旗竿を折り畳む手順を示した説明図である。
【図７】本発明の筒状部材連結具の他の実施形態の平面図である。
【図８】（ａ）は本発明の他の実施形態の筒状部材連結具を適用した旗竿の拡大説明図、（ｂ）は（ａ）に示した旗竿を折り畳む手順を示した説明図である。
【符号の説明】
【００４４】
５：一の筒状部材
６：他の筒状部材
７：連接部
８、９：突起
１０、１０ａ〜１０ｄ：筒状部材連結具
１２、１３：一の棒部
１４：他の棒部
１６：棒部支持部
１８、２０：案内溝
２２：一の舌片
２４：他の舌片
２５ａ：一の連結部
２５ｂ：他の連結部
２６：一の連結片
２８：他の連結片
３０：鍔部
３２、３４：連結軸
【図１】
2009270630.tif 000003
【図２】
2009270630.tif 000004
【図３】
2009270630.tif 000005
【図４】
2009270630.tif 000006
【図５】
2009270630.tif 000007
【図６】
2009270630.tif 000008
【図７】
2009270630.tif 000009
【図８】
2009270630.tif 000010